(57)【要約】【課題】発芽した芽を効率よく的確に間引きができ、且つ、移植前の芽や根の周囲の土を包み込むようにして採取して芽を傷めずにそのまま他所へ移植できる。【解決手段】支持部においてバネ状に支持されてなる一対のアームと、該アームの先端部に設けられた狭持部とを備え、該狭持部は、板状の側面部を有する錐体、截頭錐体又は中空先細体を縦方向に２分割した形状からなる一対の縦割推片を、内側を互いに対向させて前記一対のアームの各端部にそれぞれ設けてなる。縦割推片のアームの取付部側を傾斜させ若しくは湾曲状に形成してもよく、アームの中間若しくは中間よりも狭持部寄りに複数の突起を備えた指当て部を設けてもよい。【選択図】図１
2006101870.tif 000002
【特許請求の範囲】
【請求項１】
発芽した芽の間引きなどに用いるピンセット式園芸用器具であって、支持部においてバネ状に支持されてなる一対のアームと、該アームの先端部に設けられた狭持部とを備え、該狭持部は、板状の側面部を有する錐体、截頭錐体又は中空先細体を縦方向に２分割した形状からなる一対の縦割推片を、内側を互いに対向させて前記一対のアームの各端部にそれぞれ設けてなることを特徴とするピンセット式園芸用器具。
【請求項２】
前記狭持部を構成する一対の縦割推片のアームの取付部側が、アーム取付位置から両側端に向かって傾斜し若しくは湾曲状に形成されてなることを特徴とする請求項１記載のピンセット式園芸用器具。
【請求項３】
前記一対のアームにおける長手方向の中間若しくは中間よりもやや狭持部寄りの位置に、複数の突起を備えた指当て部を設けたことを特徴とする請求項１記載のピンセット式園芸用器具。
【発明の詳細な説明】
【技術分野】
【０００１】
本発明は、発芽した芽を間引く際などに用いるピンセット式園芸用器具に関する。
【背景技術】
【０００２】
従来、発芽した芽を間引く際には、一般に市販されているピンセットや箸を使用して芽を摘むか、指で芽を摘んで行うことが多い。しかし、このような取り扱いでは、芽や根を損傷し易く、かなりの熟練を要する。更に、間引いた芽を他所に移植する場合は、移植した後の芽の生育に悪影響を及ぼす恐れもあり問題であった。移植用のピンセットとしては、特許文献１に「園芸用ピンセット」が開示されている。前記文献には、内側に湾曲した２枚のヒレ状の先端挟部を備えているので根や茎の損傷をなくすると記載されている。しかし、前記「園芸用ピンセット」は、２枚のヒレ状の先端挟部は土中に差し込み難いばかりでなく、２枚のヒレで前後から芽を挟んで上方に引き上げる際に、２枚のヒレの左右の開口部から土や根がこぼれ落ちるので、根や茎を移植前の土を包み込んだ状態で移植することは難しい。
【０００３】
【特許文献１】実開昭５３−１２８２４４号公報
【発明の開示】
【発明が解決しようとする課題】
【０００４】
一般に発芽した芽を間引き乃至移植する場合は、なるべく移植後の環境が移植前の環境をそのまま受け継いだ方が望ましい。換言すれば、発芽した芽を移植する場合は、芽の根や茎の周囲の土ごと移植した方が移植後の環境になじみやすく、芽の成育に好ましいのである。本発明者は、前記の問題点を解消するために鋭意研究して本発明に至ったものであり、本願発明の課題は、効率よく的確に芽の間引きができ、且つ、移植前の芽や根の周囲の土を包み込むようにして採取して芽を傷めずにそのまま他所へ移植できるピンセット式園芸用器具を提供することにある。
【課題を解決するための手段】
【０００５】
前記の課題を解決するために、本発明は、発芽した芽の間引きなどに用いるピンセット式園芸用器具であって、支持部においてバネ状に支持されてなる一対のアームと、該アームの先端部に設けられた狭持部とを備え、該狭持部は、板状の側面部を有する錐体、截頭錐体又は中空先細体を縦方向に２分割した形状からなる一対の縦割推片を、内側を互いに対向させて前記一対のアームの各端部にそれぞれ設けてなることを特徴とするピンセット式園芸用器具とする（請求項１）。
【０００６】
また、前記の課題を解決するために、本発明は、前記狭持部を構成する一対の縦割推片のアームの取付部側が、アーム取付位置から両側端に向かって傾斜し若しくは湾曲状に形成されてなることを特徴とする前記のピンセット式園芸用器具とすることが好ましい（請求項２）。
【０００７】
また、前記の課題を解決するために、本発明は、前記一対のアームにおける長手方向の中間若しくは中間点よりもやや狭持部寄りの位置に、複数の突起を備えた指当て部を設けたことを特徴とする前記のピンセット式園芸用器具とすることが好ましい（請求項３）。
【発明の効果】
【０００８】
本発明のピンセット式園芸用器具は、前記のように構成され、狭持部が閉じ合わされた状態で錐体乃至截頭錐体又は中空先細体の形状となり、発芽した芽を移植前の芽や根の周囲の土を包み込むようにして採取して芽を傷めずにそのまま他所へ移植できるので、芽が移植後の環境に適合し易く芽の生育上好ましい。狭持部の先端が先細状であるので、土中に容易に差し込み易く、また、密集して発芽した芽であっても、目的の芽を定めてスポット的に的確に間引くことに適している。芽を間引く目的のみで使用する場合は狭持部の先細状先端部に芽を挟み込んで抜き取ればよく、この場合も芽を一本ずつ的確に間引くことができるので作業能率が向上する。更に手を汚すこともなく衛生的であり、植物にとっても雑菌から保護することができる利点がある。
【発明を実施するための最良の形態】
【０００９】
次に、本発明を実施するための最良の形態（以下「本発明の実施の形態」と称する）について図面を参照しながら説明する。しかし、本願発明は係る実施の形態によって何ら制限されるものではない。
【００１０】
図１は、本発明の実施の形態に係るピンセット式園芸用器具の正面図であり、図２は、前記ピンセット式園芸用器具の狭持部を閉じた状態の正面図であり、図３は、同平面図であり、図４は、図３のＸ−Ｘ線断面図である。図１〜図４において、１はピンセット式園芸用器具であり、支持部２においてバネ状に支持されてなる一対のアーム３ａ，３ｂと、該アームの先端部に設けられた狭持部５とを備え、該狭持部５は、板状の側面部を有する錐体、截頭錐体又は中空先細体を縦方向に２分割した形状からなる一対の縦割推片４ａ，４ｂ（板状の側面部に相当する）を、先細端が前記アームの反支持部方向を向くようにして、内側を互いに対向させて前記一対のアームの各端部にそれぞれ設けたものからなる。
【００１１】
本発明の実施の形態に係るピンセット式園芸用器具は、従来のピンセットの先端狭持部を一対の縦割推片４ａ，４ｂとなして、移植前の芽や根の周囲の土を一対の縦割推片４ａ，４ｂで包み込むようにして採取して芽を傷めずにそのまま他所へ移植できる構造としたものである。ここで、前記一対の縦割推片４ａ，４ｂは、板状の側面部を有する円錐や角錐などの錐体、截頭錐体又はその他の中空先細体を縦方向に２分割した形状からなるものである。中空先細体としては、例えば錐体や截頭錐体を軸に直角方向に変形させたものや漏斗状のものなど本発明の趣旨に合致するものを広く含む。図６の（ａ）は円錐体、（ｂ）は截頭円錐体、（ｃ）は角錐体、（ｄ）は先細体の各狭持部を例示するものである。同図の下方に示す図は、本発明のピンセット式園芸用器具における狭持部を閉じた状態の部分縦断面図であり、同じく上方に示す図は、下方に示す図のＡ−Ａ線横断面図である。
【００１２】
前記の縦割推片４ａ，４ｂを、先細部がアームの反支持部方向を向くように、即ち、アームの先端の延長線上を向くように、且つ、分割面が互いに対向するようにして一対のアーム３ａ，３ｂの各端部にそれぞれ設けてある。そして、一対のアーム３ａ，３ｂを押しつけたときに、対向する縦割推片４ａ，４ｂが相互に閉じ合わされるように配置されている。錐体や中空先細体の大きさは芽の種類や狭持する対象物によって適宜選択して設定することができることは言うまでもない。また、図１〜図４の場合は、縦割推片４ａ，４ｂの先細部がアームの反支持部方向に向いているが、これ以外に先細部がアームに対して直角方向を向くか或いは所定の角度をなすように設けてもよい（図示せず）。
【００１３】
また、図１〜図４に示す本発明の実施の形態に係るピンセット式園芸用器具は、円錐体を縦方向に２等分した一対の縦割推片のアームの取付部側（反先細部側）が、中央部から両側端に向かって傾斜した形状に形成されている。傾斜した形状以外に湾曲状に形成してもよい（図示せず）。このようにアーム取付部側を傾斜乃至湾曲状に形成することによって、狭持部全体を土中に埋め込んだ後で地上に引き抜く際に狭持部が受ける抵抗を和らげるだけでなく、図５に示すように、土を取り込んだ芽の状態を観察しやすく、且つ見栄えを良くする効果を奏する。前記以外にも、円錐、角錐などの錐体、截頭錐体、中空先細体を縦方向に２分割し、その一部を変形した縦割推片を狭持部としたピンセット式園芸用器具も本発明の趣旨に合致する限りにおいて本発明に含まれるものである。
【００１４】
次に、本発明の実施の形態に係るピンセット式園芸用器具では、支持部２を正面視にて円形状にしてバネの強化を図っている。円形状以外にＵ字状やＶ字状等にしてもよい。また、アームにおける長手方向の中間点よりもやや狭持部寄りの位置に、複数の突起を備えた指当て部を設けて滑り止めとしている。アーム３ａ，３ｂと支持部２については、従来の公知のピンセットの構造をそのまま利用してもよい。本発明のピンセット式園芸用器具を構成する材料としては、塗料を塗布乃至錆止め処理した鋼鉄製やステンレス製等の弾性を有する金属製が好ましい。前記金属製以外に弾性を有し、ある程度の硬度を備えたプラスチック製でもよい。
【００１５】
プラスチックとしては例えば、熱可塑性樹脂として、高密度ポリエチレン、ポリプロピレン、ＡＢＳ（アクリルニトリル、ブタジエン、スチレン共重合又はブレンドタイプ）樹脂、塩化ビニル樹脂、ポリカーボネート、ポリエステル、ポリアミド、ポリオキシメチレン等ポリエーテル、ポリマーアロイ及びその他エンジニアリングプラスチック等を単独で又はこれらの混合物を射出成形、圧縮成形、トランスファー成形等で形成したものが好ましい。また、これら熱可塑性樹脂の他に尿素樹脂、メラミン樹脂等の熱硬化性樹脂やＦＲＰ（繊維強化樹脂）を用いてもよい。更に、前記の樹脂に着色材、充填剤、抗菌剤、消臭剤、芳香剤、その他の酸化防止剤、成形助剤などの添加剤をブレンドすることが好ましい。また、必要に応じて、前記プラスチックと弾性を有する金属とを、例えばインサートなどにより組み合わせて用いてもよい。
【００１６】
図５は、本発明の実施の形態に係るピンセット式園芸用器具の使用状態を例示する。このピンセット式園芸用器具を使用するには、最初狭持部５が開いた状態で間引く対象の芽の周囲の土に狭持部５の先端部を差し込み、芽が狭持部５狭持された位置で指９でアーム３ａ，３ｂを押しつけることによって狭持部５が閉じ、この状態でピンセット式園芸用器具を地上に引き抜くと、図５に示すように狭持部５の内部に植物の芽７が周囲の土８に包み込まれた状態で採取できる。そのまま移植する先の土中に狭持部５を差し込んで狭持部５を開き芽の回りの土８を軽く押さえながらピンセット式園芸用器具を引き抜けば芽７を簡単に移植することができる。このとき採取された芽は周囲の土に軽く締め付けられた状態で採取されるので、芽と土の一体性が増して根が保護されるとともに移植後の土に馴染み易くなる効果を奏する。また、芽を間引くだけの場合は、図６（ｄ）に示すような先細体狭持部の先端先細部で芽を摘んで引き抜けばより効率よく間引きができる。
【産業上の利用可能性】
【００１７】
本発明に係るピンセット式園芸用器具は、効率よく的確に芽の間引きができ、且つ、移植前の芽や根の周囲の土を包み込むようにして採取して芽を傷めずにそのまま他所へ移植できて便利であり、構造も簡単で量産可能であることから極めて有用である。
【図面の簡単な説明】
【００１８】
【図１】本発明の実施の形態に係るピンセット式園芸用器具の例を示す正面図である。
【図２】本発明の実施の形態に係るピンセット式園芸用器具の狭持部を閉じた状態を例示する正面図である。
【図３】本発明の実施の形態に係るピンセット式園芸用器具の狭持部を閉じた状態を例示する平面図である。
【図４】図３のＸ−Ｘ線断面図である。
【図５】本発明の実施の形態に係るピンセット式園芸用器具の使用状態を例示する斜視図である。
【図６】本発明のピンセット式園芸用器具における閉じた状態の狭持部を例示する横断面図及び部分縦断面図である。
【符号の説明】
【００１９】
１：ピンセット式園芸用器具、２：支持部、３ａ，３ｂ：アーム、４ａ，４ｂ：縦割推片、５：狭持部、６ａ，６ｂ：指当て部、７：植物の芽、８：土、９：指
【図１】
2006101870.tif 000003
【図２】
2006101870.tif 000004
【図３】
2006101870.tif 000005
【図４】
2006101870.tif 000006
【図５】
2006101870.tif 000007
【図６】
2006101870.tif 000008